(57)【要約】【課題】狭小なスペースでも収納量を多くすることができると共に、ハンガーアームを前方へ回動させて、簡単に奥の洋服も見つけたり取り出したりすることができる。【解決手段】本発明のハンガー装置は、壁面等の被取付体に取り付けられる横長の取付ベース１の両端にアームベース３・３を設けて、それぞれその先端部に掛止部７が設けられたハンガーアーム２・２を回動可能に取り付けてあり、ハンガーアーム２は、取付ベース１に対して垂直方向に突出する突出状態から取付ベース１側に９０度回動して取付ベース１に沿って平行状態に折り畳まれる折り畳み状態に設定することができる。そして折り畳み状態において、ハンガーアーム２の掛止部７と、取付ベース１との間に物掛スペース２３が形成され、この物掛スペース２３に、物掛部４・・・４が位置するように取付ベース１に設けられている。【選択図】図１
2019092659.tif 000002
【特許請求の範囲】
【請求項１】
壁面等の被取付体に取り付けられる取付ベースにハンガーアームを回動可能に設け、取付ベース及びハンガーアームには、それぞれハンガーを掛けることができる物掛部及び掛止部を設け、ハンガーアームは、取付ベースに沿って略平行状態に折り畳まれる折り畳み状態と、ベースに対して前方に突出する突出状態とに設定可能であり、ハンガーアームの折り畳み状態において、ハンガーアームの掛止部と取付ベースとの間に物掛スペースを形成して、該物掛スペースに物掛部を設けて、ハンガーアームの掛止部が取付ベースの物掛部より前方に位置するよう構成し、ハンガーアームの折り畳み状態において掛止部及び物掛部にハンガーを掛けることができることを特徴とするハンガー装置。
【発明の詳細な説明】
【技術分野】
【０００１】
本発明は、主に室内の壁面等の被取付体に取り付けられる取付ベースに、ハンガーアームを回動可能に取り付け、取付ベースには物掛部を設けると共に、アームには掛止部を設けたハンガー装置に関するものである。
【背景技術】
【０００２】
特開平８−８９６号公報（特許文献１）には、ベースの両端にアームを回動自在に設け、アームには、内面に物干し竿の係止部となる嵌合孔を設けると共に、外面に洗濯物や衣類を掛けられる突起を設け、またベースの中央部にも突起を設けてあり、室内で物干し竿を使って洗濯物を干すことができ、さらには、洗濯物に限らず洋服掛けとしても使用できる室内物干し装置が開示されている。
【先行技術文献】
【特許文献】
【０００３】
【特許文献１】特開平８−８９６号公報
【発明の概要】
【発明が解決しようとする課題】
【０００４】
上記特許文献１に記載された発明においては、洗濯物を干すこともできるし、洋服掛けとしても使用することができるものであるが、洋服掛けとして使用する突起が、両アーム間のベースの中央部と、両アームの外面に設けられているだけなので、たくさんの衣服を掛けようとすると、物干し装置全体の長さを長くするか、一つの突起に洋服を重ね合わせるように収納するかしなければならず、物干し装置全体の長さを長くした場合には、狭小なスペースには設置できないという問題があり、洋服を重ね合わせるように収納した場合には、奥まった洋服を見つけにくいあるいは取り出しにくいといった問題があった。
そこで本発明は、狭小なスペースに設置することが可能で、その中で重ね合わせられた奥にある洋服も見つけやすく取り出しやすいハンガー装置を提供することを課題としている。
【課題を解決するための手段】
【０００５】
本発明は、上記の課題を解決するものであり、壁面等の被取付体に取り付けられる取付ベースにハンガーアームを回動可能に設け、取付ベース及びハンガーアームには、それぞれハンガーを掛けることができる物掛部及び掛止部を設け、ハンガーアームは、取付ベースに沿って略平行状態に折り畳まれる折り畳み状態と、ベースに対して前方に突出する突出状態とに設定可能であり、ハンガーアームの折り畳み状態において、ハンガーアームの掛止部と取付ベースとの間に物掛スペースを形成して、該物掛スペースに物掛部を設けて、ハンガーアームの掛止部が取付ベースの物掛部より前方に位置するよう構成し、ハンガーアームの折り畳み状態において掛止部及び物掛部にハンガーを掛けることができることを特徴とするハンガー装置である。
【発明の効果】
【０００６】
以上のように本発明によれば、回動可能なハンガーアームの折り畳み状態において、ハンガーアームの掛止部と取付ベースとの間に物掛スペースを形成して、該物掛スペースに物掛部を設けて、ハンガーアームの掛止部が取付ベースの物掛部より前方に位置するよう構成し、ハンガーアームの折り畳み状態においても物掛部にハンガーを掛けることができるようにしたので、取付ベースの物掛部とハンガーアームの掛止部に洋服を重ね合わせるように収納して、狭小なスペースでも収納量を多くすることができると共に、ハンガーアームを前方へ回動させれば、簡単に奥の洋服も見つけたり取り出したりすることができるという効果がある。
【図面の簡単な説明】
【０００７】
【図１】両方のハンガーアームを取付ベース側へ回動した折り畳み状態にして、ハンガーを掛止部と物掛部に掛けている状態を示す斜視図である。
【図２】図１の折り畳み状態から両方のハンガーアーム回動してを突出状態にして、ハンガーを掛止部と物掛部に掛けている状態を示す斜視図である。
【図３】ハンガーアームを取付ベース側へ回動した折り畳み状態を示す要部斜視図である。
【図４】ハンガーアームを取付ベースから垂直に突出させた突出状態を示す要部斜視図である。
【図５】ハンガーアームを取付ベースに組み付ける前の状態を示す分解斜視図である。
【図６】ハンガーを収納部に収納して一方のハンガーアームを取付ベース側へ回動して折り畳んだ状態を示す斜視図である。
【実施例１】
【０００８】
本実施例のハンガー装置は、壁面等の被取付体に取り付けられる横長の取付ベース１の両端にアームベース３・３を設けて、それぞれその先端部に上軸支部５と下軸支部６によってハンガーアーム２・２を回動可能に取り付けてある。
【０００９】
取付ベース１は、横長平板状の基板部１９の上端部全長に亘って天板部２０を設けて断面略Ｌ字状に形成され、下端部には間隔を置いて４つのフック状の物掛部４・・・４を取り付けてあり、両端部にはアームベース３・３を取り付けてある。
【００１０】
アームベース３は、略コ字状で前方に開口している収納部１０を設け、上方前端部には上下に貫通する軸孔を設けた上軸受筒１５を、下方前端部には同じく上下に貫通する軸孔を設けた下軸受筒１６をそれぞれ設けてある。上軸受筒１５は下軸受筒１６よりも厚く、上下端面を段落ちさせて摺接面２１・２１を形成し、下軸受筒１６は上端面を段落ちさせて摺接面２２を形成してある。上軸受筒１５と下軸受筒１６の軸孔は、上下に距離を置いて垂直方向に同軸上に設けられている。
【００１１】
ハンガーアーム２は、長尺で角棒状の掛止部７と、その上方に平行に間隔を置いて位置する平板状の上枠部８とのそれぞれ先端部を先枠部９で結合して、基端部側が開口する略コ字状に形成されている。掛止部７の基端部には、アームベース３の摺接面２２に載置され上下に貫通する軸孔を設けた下軸入筒１８を設け、上枠部８は掛止部７より幅広で、その基端部には、アームベース３の摺接面２１・２１を挟持し上下に貫通する軸孔を設けた上軸入筒１７・１７を設けてある。
【００１２】
そして、アームベース３の上軸受筒１５をハンガーアーム２の上軸入筒１７・１７で挟むと共に、下軸受筒１６に下軸入筒１８を載置して、上軸受筒１５と上軸入筒１７・１７の軸孔に上方から上軸１１を挿入して下方を上軸止具１２で止めて軸支して上軸支部５を形成し、下軸受筒１６と下軸入筒１８の軸孔に上方から下軸１３を挿入して下方を下軸止具１４で止めて軸支して下軸支部６を形成する。また、ハンガーアーム２の上枠部８は、上下方向に幅広に形成され、上下２か所の上軸入筒１７・１７によって軸支されるので、ハンガーアーム２に掛けられる耐荷重強度を向上させることができる。なお、上枠部８の表裏面は意匠性を向上させるため化粧面としてもよい。
【００１３】
上軸支部５と下軸支部６は同一垂直線上に同軸的に設けられ、ハンガーアーム２は、取付ベース１両端のアームベース３に回動可能に取り付けられることになり、取付ベース１に対して垂直方向に突出する突出状態から取付ベース１側に９０度回動して取付ベース１に沿って平行状態に折り畳まれる折り畳み状態に設定することができる。さらにハンガーアーム２は、取付ベース１と反対側にも９０度回動することができ、全体で１８０度回動可能である。
【００１４】
そして、上記折り畳み状態において、ハンガーアーム２の掛止部７と、取付ベース１との間に物掛スペース２３が形成され、この物掛スペース２３に物掛部４・・・４が位置するように構成されている。物掛部４・・・４の先端部は、ハンガーアーム２折り畳み状態では掛止部７との間に間隔が空いており、掛止部７を持ってハンガーアーム２を折り畳んだ時、掛止部７に手を挟むことなく安全であるが、間隔を空けなくても物掛部４・・・４にハンガーＨを掛けることは可能である。なお、上軸支部５と下軸支部６の構造は本実施例に限定されるものではなく、種々の構造が考えられる。また、ハンガーアーム２は本実施例のように２本ではなく１本でもよい。
【００１５】
ハンガーアーム２の掛止部７上面、アームベース３の収納部１０下面及びそれらを繋ぐ下軸支部６上面は略同一平面上に連続しており、掛止部７に掛けたハンガーＨを容易に収納部１０にスライド移動させて収納することができるようになっている。
【００１６】
そして、図１に示すように、ハンガーアーム２・２を取付ベース１側へ回動して折り畳んだ折り畳み状態で、物掛部４と掛止部７に重なるように衣類Ｃを掛けるような使用方法が可能であり、たくさんの衣類Ｃをコンパクトに収納することができ、さらに、図２に示すように、この折り畳み状態からハンガーアーム２・２を回動して突出状態にすれば、物掛部４・・・４に掛けた衣類Ｃを見つけたり取り出したりすることが簡単にできる。
【００１７】
また、ハンガーアーム２・２を突出状態にして、衣類Ｃを掛けたハンガーＨを掛止部７・７に掛け、衣類Ｃが乾燥したら、衣類Ｃを掛けたままハンガーＨを奥へ押し込むと、下軸支部６を通って収納部１０にスムーズに移動して収納され、ハンガーアーム２・２を取付ベース１側へ回動して折り畳めば、コンパクトな折り畳み状態を実現することができる（図６参照）。なお、収納部１０を掛止部７よりやや低くすると、ハンガーＨを奥へ押し込む際に、同一平面上にある場合に比べて多少スムーズさにおいて劣るものの、収納されたハンガーＨを収納部１０から掛止部７へ移動しにくくすることができる。
【符号の説明】
【００１８】
１    取付ベース
２    ハンガーアーム
３    アームベース
４    物掛部
７    掛止部
２３    物掛スペース
【図１】
2019092659.tif 000003
【図２】
2019092659.tif 000004
【図３】
2019092659.tif 000005
【図４】
2019092659.tif 000006
【図５】
2019092659.tif 000007
【図６】
2019092659.tif 000008